【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、該可変表示部における識別情報の表示結果が予め定められた特定表示結果となったときに遊技者にとって有利な特定遊技状態に制御する遊技機であって、
前記特定遊技状態に制御するか否かを、前記識別情報の表示結果が導出表示される以前に決定する事前決定手段と、
該事前決定手段の決定結果に基づいて、前記特定遊技状態に制御される可能性があることを報知する複数の予告演出のうちから実行する予告演出を決定する予告演出決定手段と、
該予告演出決定手段により決定された予告演出を実行する予告演出実行手段と、
遊技者が操作可能な操作手段と、を備え、
前記予告演出決定手段は、前記予告演出の態様に基づいて分類された複数種類の予告演出種別のうちいずれの予告演出種別に属する予告演出を実行するかを決定する予告種別決定手段と、該予告種別決定手段により決定された予告演出種別に属する予告演出のうちから前記実行する予告演出を決定する予告決定手段とを有してなり、
前記複数の予告演出は、１回の可変表示中に予め定められた順番に従って、予め定められたタイミングで演出を１回又は複数回変化させることによって前記特定遊技状態に制御される可能性があることを段階的に報知するステップアップ予告演出と、１回の可変表示中に前記操作手段の操作に基づいて前記特定遊技状態に制御される可能性があることを報知する操作予告演出とを含むことを特徴とする遊技機。
【請求項２】
遊技媒体を用いて１ゲームに対して所定の賭数を設定することによりゲームを開始させることが可能となり、各々を識別可能な複数種類の入賞用識別情報を可変表示させる入賞用可変表示部に表示結果が導出されることにより１ゲームが終了し、該入賞用可変表示部に導出された表示結果に応じて入賞が発生可能である遊技機であって、
前記入賞用可変表示部の表示結果が導出される前に、遊技者にとって有利な特定遊技状態への移行を伴う特定入賞を含む複数種類の入賞各々の発生を許容するか否かを決定する入賞用事前決定手段と、
該入賞用事前決定手段の決定結果に応じて、前記入賞用可変表示部に表示結果を導出させる制御を行う入賞用導出制御手段と、
前記特定入賞に対する特定入賞表示結果が前記入賞用可変表示部に導出されたときに、前記特定遊技状態に制御する特定遊技状態制御手段と、
各々を識別可能な複数種類の演出用識別情報を可変表示する演出用可変表示部と、
該演出用可変表示部における前記演出用識別情報の表示結果が予め定められた特殊表示結果となったときに、遊技者にとって有利な状態に移行する移行条件が成立していることを示唆する示唆演出手段と、
前記特殊表示結果とするか否かを、前記演出用識別情報の表示結果が導出表示される以前に決定する演出用事前決定手段と、
該演出用事前決定手段の決定結果に基づいて、前記特殊表示結果となる可能性があることを報知する複数の予告演出のうちから実行する予告演出を決定する予告演出決定手段と、
該予告演出決定手段により決定された予告演出を実行する予告演出実行手段と、
遊技者が操作可能な操作手段と、を備え、
前記予告演出決定手段は、前記予告演出の態様に基づいて分類された複数種類の予告演出種別のうちいずれの予告演出種別に属する予告演出を実行するかを決定する予告種別決定手段と、該予告種別決定手段により決定された予告演出種別に属する予告演出のうちから前記実行する予告演出を決定する予告決定手段とを有してなり、
前記複数の予告演出は、前記演出用識別情報の１回の可変表示中に予め定められた順番に従って、予め定められたタイミングで演出を１回又は複数回変化させることによって前記特殊表示結果となる可能性があることを段階的に報知するステップアップ予告演出と、前記演出用識別情報の１回の可変表示中に前記操作手段の操作に基づいて前記特殊表示結果となる可能性があることを報知する操作予告演出とを含むことを特徴とする遊技機。
【手続補正２】
【補正対象書類名】明細書
【補正対象項目名】００１３
【補正方法】変更
【補正の内容】
【００１３】
まず手段１に係る発明は、各々を識別可能な複数種類の識別情報（第１特別図柄、第２特別図柄、演出図柄）を可変表示する可変表示部（第１特別図柄表示器８ａ、第２特別図柄表示器８ｂ、演出表示装置９）を備え、該可変表示部における識別情報の表示結果が予め定められた特定表示結果（大当り図柄）となったときに遊技者にとって有利な特定遊技状態（大当り遊技状態）に制御する遊技機（パチンコ機）であって、前記特定遊技状態に制御するか否かを、前記識別情報の表示結果が導出表示される以前に決定する事前決定手段（遊技制御用マイクロコンピュータ５６０におけるＳ６１の処理を実行する部分）と、該事前決定手段の決定結果に基づいて、前記特定遊技状態に制御される可能性があることを報知する複数の予告演出のうちから実行する予告演出を決定する予告演出決定手段（演出制御用マイクロコンピュータ１００におけるＳ５１８Ａの処理を実行する部分）と、該予告演出決定手段により決定された予告演出を実行する予告演出実行手段（演出制御用マイクロコンピュータ１００におけるＳ８４６〜Ｓ８５５の処理を実行する部分）と、遊技者が操作可能な操作手段（操作ボタン１２０）と、を備え、前記予告演出決定手段は、前記予告演出の態様に基づいて分類された複数種類の予告演出種別のうちいずれの予告演出種別に属する予告演出を実行するかを決定する予告種別決定手段（演出制御用マイクロコンピュータ１００におけるＳ５７０の処理を実行する部分）と、該予告種別決定手段により決定された予告演出種別に属する予告演出のうちから前記実行する予告演出を決定する予告決定手段（演出制御用マイクロコンピュータ１００におけるＳ５７３，Ｓ５７６，Ｓ５７９，Ｓ５８１，Ｓ５８３の処理を実行する部分）とを有してなり、前記複数の予告演出は、１回の可変表示中に予め定められた順番に従って、予め定められたタイミングで演出（予告演出Ａ，Ｂ，Ｃ，Ｄ，Ｅ，ｅ、予告演出Ｘ，Ｙ，Ｚ，ｚ）を１回又は複数回変化させることによって前記特定遊技状態に制御される可能性があることを段階的に報知するステップアップ予告演出（第１ステップアップ予告演出，第２ステップアップ予告演出）と、１回の可変表示中に前記操作手段の操作に基づいて前記特定遊技状態に制御される可能性があることを報知する操作予告演出（ボタン予告演出）とを含むことを特徴とする遊技機である。
これによれば、予告種別決定手段が、予告演出の種類に基づいて分類された複数種類の予告演出種別のうちいずれの予告演出種別に属する予告演出を実行するかを決定し、予告決定手段が、該決定された予告演出種別に属する予告演出のうちから実行する予告演出を決定するので、特定の予告演出が実行される振分率を変更したい場合の作業効率を向上できる。
【手続補正３】
【補正対象書類名】明細書
【補正対象項目名】００１４
【補正方法】変更
【補正の内容】
【００１４】
また手段２に係る発明は、手段１に記載した遊技機（パチンコ機）であって、前記事前決定手段によって前記特定遊技状態に制御しない旨の決定がなされたことに基づいて、前記識別情報の可変表示状態を所定のリーチ状態とするか否かを決定するリーチ決定手段（遊技制御用マイクロコンピュータ５６０におけるＳ９５〜Ｓ９７の処理を実行する部分）と、前記事前決定手段の決定結果又は前記リーチ決定手段による決定結果の少なくとも一方に基づいて、前記識別情報の変動パターンが属する変動パターン種別を複数種類のうちのいずれかに決定する変動パターン種別決定手段（遊技制御用マイクロコンピュータ５６０におけるＳ１０１，Ｓ１０２の処理を実行する部分）と、該変動パターン種別決定手段により決定された変動パターン種別に含まれる変動パターンのうちから前記識別情報の変動パターンを決定する変動パターン決定手段（遊技制御用マイクロコンピュータ５６０におけるＳ１０３〜Ｓ１０５の処理を実行する部分）と、該変動パターン決定手段の決定結果に対応して、少なくとも前記識別情報の変動表示を含む変動演出を実行する変動演出実行手段（演出制御用マイクロコンピュータ１００におけるＳ５２０，Ｓ８４５の処理を実行する部分）と、を備えたことを特徴とする遊技機である。
これによれば、変動パターン種別決定手段が、複数種類の変動パターン種別のうちいずれの変動パターン種別に属する変動パターンを実行するかを決定し、変動パターン決定手段が、該決定された変動パターン種別に属する変動パターン演出のうちから実行する変動パターンを決定するので、特定の変動パターンが実行される振分率を変更したい場合の作業効率を向上できる。
【手続補正４】
【補正対象書類名】明細書
【補正対象項目名】００１５
【補正方法】変更
【補正の内容】
【００１５】
また手段３に係る発明は、手段２に記載した遊技機（パチンコ機）であって、前記変動パターン種別決定手段は、前記事前決定手段によって前記特定遊技状態に制御しない旨の決定がなされ、かつ前記リーチ決定手段によって前記リーチ状態に制御しない旨の決定がなされたことに基づいて、前記変動パターン種別を、所定の特定演出（滑り又は擬似連）を実行する特定変動パターンが属する変動パターン種別に決定（遊技制御用マイクロコンピュータ５６０におけるＳ１００の処理で、変動パターン種別を非リーチＣＡ１−４又は非リーチＣＣ１−３に決定）し、前記変動パターン決定手段は、前記変動パターン種別決定手段により決定された変動パターン種別に含まれる特定変動パターンのうちから前記変動パターンを決定（遊技制御用マイクロコンピュータ５６０におけるＳ１０５の処理で、変動パターンを非リーチＰＡ１−４（滑り）又は非リーチＰＡ１−５（擬似連）に決定）し、前記変動演出実行手段は、該変動パターン決定手段により決定された特定変動パターンに対応する特定演出を実行することを特徴とする遊技機である。
これによれば、特定遊技状態に制御されず、かつリーチ状態に制御されない場合であっても、特定変動パターンに対応する特定演出（擬似連，滑り）が実行されるので、特定遊技状態の発生に対する期待感を向上できる。また変動パターン種別決定手段が、複数種類の変動パターン種別のうちいずれの変動パターン種別に属する特定変動パターンを実行するかを決定し、変動パターン決定手段が、該決定された変動パターン種別に属する特定変動パターンのうちから実行する特定変動パターンを決定するので、該特定変動パターンが実行される振分率を変更したい場合の作業効率を向上できる。
【手続補正５】
【補正対象書類名】明細書
【補正対象項目名】００１６
【補正方法】変更
【補正の内容】
【００１６】
また手段４に係る発明は、遊技媒体を用いて１ゲームに対して所定の賭数を設定することによりゲームを開始させることが可能となり、各々を識別可能な複数種類の入賞用識別情報を可変表示させる入賞用可変表示部に表示結果が導出されることにより１ゲームが終了し、該入賞用可変表示部に導出された表示結果に応じて入賞が発生可能である遊技機（スロット機）であって、前記入賞用可変表示部の表示結果が導出される前に、遊技者にとって有利な特定遊技状態への移行を伴う特定入賞を含む複数種類の入賞各々の発生を許容するか否かを決定する入賞用事前決定手段と、該入賞用事前決定手段の決定結果に応じて、前記入賞用可変表示部に表示結果を導出させる制御を行う入賞用導出制御手段と、前記特定入賞に対する特定入賞表示結果が前記入賞用可変表示部に導出されたときに、前記特定遊技状態に制御する特定遊技状態制御手段と、各々を識別可能な複数種類の演出用識別情報を可変表示する演出用可変表示部と、該演出用可変表示部における前記演出用識別情報の表示結果が予め定められた特殊表示結果となったときに、遊技者にとって有利な状態（例えば、ビッグボーナス、ＡＴ・ＣＴ・ＲＴ・ＡＲＴ等）に移行する移行条件が成立していることを示唆する示唆演出手段と、前記特殊表示結果とするか否かを、前記演出用識別情報の表示結果が導出表示される以前に決定する演出用事前決定手段と、該演出用事前決定手段の決定結果に基づいて、前記特殊表示結果となる可能性があることを報知する複数の予告演出のうちから実行する予告演出を決定する予告演出決定手段と、該予告演出決定手段により決定された予告演出を実行する予告演出実行手段と、遊技者が操作可能な操作手段と、を備え、前記予告演出決定手段は、前記予告演出の態様に基づいて分類された複数種類の予告演出種別のうちいずれの予告演出種別に属する予告演出を実行するかを決定する予告種別決定手段と、該予告種別決定手段により決定された予告演出種別に属する予告演出のうちから前記実行する予告演出を決定する予告決定手段とを有してなり、前記複数の予告演出は、前記演出用識別情報の１回の可変表示中に予め定められた順番に従って、予め定められたタイミングで演出を１回又は複数回変化させることによって前記特殊表示結果となる可能性があることを段階的に報知するステップアップ予告演出と、前記演出用識別情報の１回の可変表示中に前記操作手段の操作に基づいて前記特殊表示結果となる可能性があることを報知する操作予告演出とを含むことを特徴とする遊技機である。
これによれば、予告種別決定手段が、予告演出の種類に基づいて分類された複数種類の予告演出種別のうちいずれの予告演出種別に属する予告演出を実行するかを決定し、予告決定手段が、該決定された予告演出種別に属する予告演出のうちから実行する予告演出を決定するので、特定の予告演出が実行される振分率を変更したい場合の作業効率を向上できる。
【手続補正６】
【補正対象書類名】明細書
【補正対象項目名】００１７
【補正方法】変更
【補正の内容】
【００１７】
また手段５に係る発明は、手段１〜４のいずれか１つに記載した遊技機（パチンコ機，スロット機）であって、前記予告演出決定手段は、可変表示中の同一期間に同時に実行しない予告演出（第２ステップアップ予告演出，ボタン予告演出）については、前記予告種別決定手段によって前記実行する予告演出の予告演出種別を決定し、可変表示中の同一期間に同時に実行可能な予告演出（第１ステップアップ予告演出）については、前記予告種別決定手段によらずに前記実行する予告演出を決定する（演出制御用マイクロコンピュータ１００におけるＳ５７２，Ｓ５７５，Ｓ５７８，Ｓ５８０の処理を実行する部分）ことを特徴とする遊技機である。
これによれば、可変表示中の同一期間に同時に実行しない予告演出については予告演出種別で区分けしてしまうので、互いに禁則をかけるためのデータ設定（例えば振分率を０にする）をする必要が無く、データ設定が容易になる。
【手続補正７】
【補正対象書類名】明細書
【補正対象項目名】００１８
【補正方法】変更
【補正の内容】
【００１８】
また手段６に係る発明は、手段１〜５のいずれか１つに記載した遊技機（パチンコ機，スロット機）であって、前記ステップアップ予告演出は、第１ステップアップ予告演出（予告演出Ａ，Ｂ，Ｃ，Ｄ，Ｅ，ｅを実行可能な第１ステップアップ予告演出：図８２参照）と、該第１ステップアップ予告演出とは異なる第２ステップアップ予告演出（予告演出Ｘ，Ｙ，Ｚ，ｚを実行可能な第２ステップアップ予告演出：図８３〜図８５参照）とを含み、前記予告演出実行手段は、前記予告演出決定手段が前記実行する予告演出として前記ステップアップ予告演出を決定した際に、該ステップアップ予告演出として前記第１ステップアップ予告演出と前記第２ステップアップ予告演出とを可変表示中の同一期間に同時に実行可能である（図７８に示す例では、演出図柄の高速変動期間に同時に第１ステップアップ予告演出と第２ステップアップ予告演出とを実行可能である。具体例として、図８７及び図８８に示すように、演出図柄の高速変動の開始と共に第１ステップアップ予告演出の予告演出Ａと第２ステップアップ予告演出の予告演出Ｘが同時に開始され、その後、第１ステップアップ予告演出では予告演出Ａから予告演出Ｂに変化し、一方、第２ステップアップ予告演出では予告演出Ｘから予告演出Ｙに、また予告演出Ｙから予告演出Ｚ，ｚに変化している。）ことを特徴とする遊技機である。
これによれば、ステップアップ予告演出が、第１ステップアップ予告演出と、該第１ステップアップ予告演出とは異なる第２ステップアップ予告演出とを含み、予告演出実行手段が、ステップアップ予告演出として第１ステップアップ予告演出と第２ステップアップ予告演出とを可変表示中の同一期間に同時に実行可能である構成とされているので、複数のステップアップ予告演出（第１ステップアップ予告演出，第２ステップアップ予告演出）を同時に実行して興趣の向上を図ることができる。
【手続補正８】
【補正対象書類名】明細書
【補正対象項目名】００１９
【補正方法】変更
【補正の内容】
【００１９】
さらに手段７に係る発明は、手段６に記載した遊技機（パチンコ機，スロット機）であって、前記予告演出実行手段は、前記第１ステップアップ予告演出が終了（例えば予告演出Ｂで第１ステップアップ予告演出が終了）した以降の所定のタイミングで、前記第２ステップアップ予告演出における演出（例えば予告演出Ｚ，ｚ）を変化させる制御を実行する（例えば図８７（３−３）〜（３−５）に示すように予告演出Ｂが終了した時点で第１ステップアップ予告演出を一旦終了させ、その後に図８８（３−６）及び（３−８）に示すように第２ステップアップ予告演出における示唆演出と予告演出ｚを実行し、又は図８９（３−１１）に示すように第２ステップアップ予告演出における予告演出Ｚを実行する。）ことを特徴とする遊技機である。
これによれば、予告演出実行手段が、第１ステップアップ予告演出が終了した以降の所定のタイミングで、第２ステップアップ予告演出における演出を変化させる制御を実行するように構成されているので、一方のステップアップ予告演出（第１ステップアップ予告演出）が終了しても、もう一方のステップアップ予告演出（第２ステップアップ予告演出）が継続して実行される場合があり、特定遊技状態の発生に対する期待を維持させることができ、遊技の興趣を向上させることができる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】